(57)【要約】【課題】筐体の内部で掃除道具を振って埃を除去する除去方式と、吸引口に掃除道具を当てて埃を吸い取る除去方式を、ワンタッチで切り換えることのできる除埃器を提供する。【解決手段】除埃器１０は、掃除機６０を収納できる筐体２０と、掃除機６０のスタンドとして使用される台７０と、筐体２０の内部に設置され筐体２０の上面の通風路用開口部２６で吸引口４２が開口する吸引用通風路４０を備えている。台７０は側方及び上面に開口する台通風路を備えている。そして、筐体２０の内部で掃除道具を振って埃を除去する除去方式と、吸引口４２に掃除道具を当てて埃を吸い取る除去方式を、掃除機６０が載置された台７０の筐体２０の内部への移動及び筐体２０の外部への移動というワンタッチの操作で切り換えることができる。【選択図】図１
2018175085.tif 000002
【特許請求の範囲】
【請求項１】
埃を吸着させる払拭部と保持用の把持部とを備えた掃除道具に吸着した埃を除去する除挨器であって、
前記掃除道具の払拭部を収容することのできる筐体と、該筐体の内部に設置される除埃用通風路と、掃除機に接続できる吸引用通風路を備えた吸引用部材とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記吸引用部材の操作により、前記吸引用部材の吸引用通風路が前記筐体の内部に開口する構成と、該吸引用部材の吸引用通風路が前記除埃用通風路の内部開口部から該除埃用通風路を経て該除埃用通風路の吸引口に連通する構成を切り換えることができる除埃器。
【請求項２】
請求項１に記載の除埃器であって、前記筐体の上面は開閉可能な構成とされており、
前記筐体は内部に掃除機を収納することができ、前記吸引用部材は該筐体の内部の底部に設置され該掃除機のスタンドとして使用される台であって、
前記除埃用通風路の内部開口部は前記筐体の下部で開口する構成とされ、
前記筐体の側面下部には前記台を該筐体の側面下部の外側に移動させることのできる台移動用開口部が設けられ、
前記吸引用通風路は前記台の内部に設けられた台通風路であって、該台通風路は該台の外側に開口する台開口部と該台の上面に開口する掃除機用吸引口を備え、
前記掃除機が載置された状態の前記台を前記筐体の内外へ移動するとき該掃除機の移動経路にあたる該筐体の側面には側面開口部が設けられ
前記掃除機が前記筐体の上面開口部から突出するときは、該掃除機が載置された状態の前記台を該筐体の内外へ移動するとき該掃除機の移動経路にあたる該筐体の上面開口部と上面の側端の間の部位を切り欠いた上端開口部を設け、
前記台の上面には、該台を前記筐体の内部に収納したとき該筐体の側面開口部と反対側となる位置に、板状の内壁が取付けられており、
前記台を前記筐体の側面下部の外側に引き出した状態では、前記台通風路の台開口部が該筐体の内部に開口し、該筐体の側面開口部が該台に取り付けられた内壁により内側から塞がれ、
前記台に前記掃除機を載置して該台を前記筐体の内部に収納した状態では、前記台通風路の台開口部が前記除埃用通風路の内部開口部と接合して、該台の掃除機用吸引口から該除埃用通風路の吸引口に連通する通風路が形成される除埃器。
【請求項３】
請求項１に記載の除埃器であって、
前記吸引用部材は前記筐体の側面に挿通されたパイプ部材であり、前記吸引用通風路は該パイプ部材の中空部であって、該中空部は該筐体の側面の外側の外端開口部と該筐体の側面の内側の内端開口部で開口しており、該パイプ部材は軸方向への移動により該筐体の内外への移動が可能な構成とされており、
前記除埃用通風路の内部開口部は前記パイプ部材を挿通することができる前記筐体の側面側の第１開口部と該筐体の内側の第２開口部からなり、該除埃用通風路の第２開口部の外側には遮蔽板が取り付けられており、
前記パイプ部材を前記筐体の内側方向に移動させると、該パイプ部材の外周部が前記除埃用通風路の第１開口部及び第２開口部に挿通された状態となり、該パイプ部材の内端開口部の側の先端で前記遮蔽板を押し開けて該パイプ部材の中空部の内端開口部が該筐体の内部に開口し、
前記パイプ部材を前記筐体の外側方向に移動させると、該パイプ部材の外周部が前記除埃用通風路の第１開口部のみに挿通された状態となり、該パイプ部材の中空部の内端開口部が該除埃用通風路に開口し、該除埃用通風路の第２開口部が遮蔽板で塞がれて、該パイプ部材の中空部の外端開口部が該除埃用通風路の吸引口に連通する除埃器。
【請求項４】
請求項１に記載の除埃器であって、
前記吸引用部材は前記筐体の側面に挿通されたパイプ部材であり、前記吸引用通風路は該パイプ部材の中空部であって、該パイプ部材は軸方向への移動により該筐体の内外への移動が可能な構成とされており、
前記除埃用通風路の内部開口部は前記筐体の側面側の第１開口部と該筐体の内側の第２開口部からなり、該第１開口部及び該第２開口部には前記パイプ部材が挿通されており、
前記パイプ部材の中空部の前記筐体の外側の端部は開口した外端開口部とされ、該中空部の該筐体の内側の端部は遮蔽部材で遮蔽され、該パイプ部材の該遮蔽部材に隣接する部位には外周部が該中空部に達するまで切り欠かれた側面開口部が形成されており、
前記パイプ部材を前記筐体の内側方向に移動させると、該パイプ部材の外周部が前記除埃用通風路の第１開口部及び第２開口部に挿通された状態となり、該パイプ部材の側面開口部が該筐体の内部に開口し、
前記パイプ部材を前記筐体の外側方向に移動させると、該パイプ部材の側面開口部が前記除埃用通風路の第１開口部と第２開口部の間に移動して、該パイプ部材の中空部の外端開口部が該除埃用通風路の吸引口に連通する除埃器。
【請求項５】
埃を吸着させる払拭部と保持用の把持部とを備えた掃除道具に吸着した埃を除去する除挨器であって、
前記掃除道具の払拭部を収容することのできる筐体と、該筐体の内部に設置される除埃用通風路と、掃除機に接続できる吸引用通風路を備えた吸引用部材とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記除埃用通風路の操作により、前記吸引用部材の吸引用通風路が前記筐体の内部に開口する構成と、該吸引用部材の吸引用通風路が該除埃用通風路の内部開口部から該除埃用通風路を経て該除埃用通風路の吸引口に連通する構成を切り換えることができる除埃器。
【請求項６】
請求項５に記載の除埃器であって、
前記通風路用開口部は前記筐体の上面に設けられており、
前記吸引用部材は前記筐体の側面に挿通されたパイプ部材であり、前記吸引用通風路は該パイプ部材の中空部であって、該中空部は該筐体の側面の外側の外端開口部と該筐体の側面の内側の内端開口部で開口しており、
前記筐体の内部に前記除埃用通風路を収納することができる筒状の通風路保持器を備え、該通風路保持器は前記パイプ部材の内端開口部に接続されるパイプ部材接続口と、該筐体の内部に開口する側面開口部と、上端開口部とを備え、
前記除埃用通風路は底部を備え、前記通風路保持器に収納された状態で上下に移動させることができ、下方位置及び上方位置で留まることができる構成とされており、
前記除埃用通風路を上方位置に移動させると、該除埃用通風路の底部が前記通風路保持器のパイプ部材接続口及び側面開口部の上方となり、前記パイプ部材の中空部が、該通風路保持器の該除埃用通風路よりも下方の空間を経て該筐体の内部に開口し、
前記除埃用通風路を下方位置に移動させると、該除埃用通風路の内部開口部が前記通風路保持器のパイプ部材接続口と重なり、該除埃用通風路の側面が該通風路保持器の側面開口部を塞いで、該パイプ部材の中空部の外端開口部が該除埃用通風路を経て該除埃用通風路の吸引口に連通する除埃器。
【請求項７】
埃を吸着させる払拭部と保持用の把持部とを備えた掃除道具に吸着した埃を除去する除挨器であって、
前記掃除道具の払拭部を収容することのできる筐体と、該筐体の内部に設置される除埃用通風路と、掃除機に接続できる吸引用通風路を備えた吸引用部材と、通風路切換器とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記通風路切換器の操作により、前記吸引用部材の吸引用通風路が前記筐体の内部に開口する構成と、該吸引用部材の吸引用通風路が該除埃用通風路の内部開口部から該除埃用通風路を経て該除埃用通風路の吸引口に連通する構成を切り換えることができる除埃器。
【請求項８】
請求項７に記載の除埃器であって、
前記吸引用部材は前記筐体の側面に挿通されたパイプ部材であり、前記吸引用通風路は該パイプ部材の中空部であって、該中空部は該筐体の側面の外側の外端開口部と該筐体の側面の内側の内端開口部で開口しており、
前記除埃用通風路の内部開口部は、前記パイプ部材の内端開口部に接続する第１開口部と、前記筐体の内部に開口する第２開口部からなり、
前記通風路切換器は前記除埃用通風路の内部に収納された板状の部材であって該除埃用通風路の内部の通風を遮断することのできる遮断部材を備え、該除埃用通風路に収納された状態で上下に移動させることができ、上方位置及び下方位置で留まることができる構成とされており、
前記通風路切換器を上方位置に移動させると、該通風路切換器の遮断部材が前記除埃用通風路の第１開口部及び第２開口部の上方となり、前記パイプ部材の中空部が、該除埃用通風路の第１開口部及び第２開口部を経て該筐体の内部に開口し、
前記通風路切換器を下方位置に移動させると、該通風路切換器の遮断部材が前記除埃用通風路の第１開口部よりも下方となって前記パイプ部材の内端開口部が該除埃用通風路の内部に開口し、該通風路切換器の板状の部分が該除埃用通風路の第２開口部を塞いで、前記パイプ部材の中空部の外端開口部が該除埃用通風路の吸引口に連通する除埃器。
【請求項９】
請求項７に記載の除埃器であって、
前記吸引用部材は前記筐体の側面に挿通されたパイプ部材であり、前記吸引用通風路は該パイプ部材の中空部であって、該中空部は該筐体の側面の外側の外端開口部と該筐体の側面の内側の内端開口部で開口しており、
前記筐体の内部に前記除埃用通風路に隣接して補助通風路が設置され、該補助通風路は上端開口部と、該除埃用通風路に面する側面開口部を備え、
前記除埃用通風路の内部開口部は、前記パイプ部材の内端開口部に接続する第１開口部と、前記補助通風路の側面開口部に連通する第２開口部からなり、
前記通風路切換器は通風孔を備えた板状の部材であって、前記パイプ部材が挿通された位置よりも上方の前記筐体の側面に挿通され、前記除埃用通風路の側面に形成されたスリットを通過して、前記補助通風路の上端開口部に接する状態で配置され、該筐体の側面に対して内側方向及び外側方向に移動させることが可能な構成とされており、
前記通風路切換器を前記筐体の内側方向に移動させると、該通風路切換器の通風孔が前記補助通風路の上端開口部に重なる位置に移動して該上端開口部を該筐体の内部に開口させ、該通風路切換器の板状の部分が前記除埃用通風路を上部と下部に遮断して、前記パイプ部材の中空部が該除埃用通風路の下部及び該補助通風路を経て該筐体の内部に開口し、
前記通風路切換器を前記筐体の外側方向に移動させると、前記通風路切換器の通風孔が前記除埃用通風路の内側に移動して該除埃用通風路の下部と上部が連通し、該通風路切換器の板状の部分が前記補助通風路の上端開口部を遮蔽して、前記パイプ部材の中空部の外端開口部が該除埃用通風路の吸引口に連通する除埃器。
【発明の詳細な説明】
【技術分野】
【０００１】
この発明は除埃器に関する。さらに詳しくは、静電気クリーナーやハンディワイパー等の掃除道具に吸着した塵、花粉、糸くず等の埃を掃除機の吸引力を利用して除去する除埃器に関する。
【背景技術】
【０００２】
静電気クリーナーは絶縁性のポリマーの細い毛の束からなる払拭部と棒状の把持部からなり、使用前に振ることにより毛と毛の摩擦で払拭部に静電気を発生させて、静電気により埃を吸着して除去するものであり、机の上やキャビネットの中、パソコン周り、店舗に並べられた商品など、狭い場所や起伏の多い場所の掃除に便利である。
しかし、埃を吸着して汚れた静電気クリーナーを再利用する場合は、屋外などで埃を振り落とさなければならず、空気を汚すため環境面で好ましくなく、振り落とされた埃が室内や近隣のベランダに舞い込んでしまうこともあり、静電気クリーナーは再利用するときの埃の除去に難点があった。
【０００３】
そこで、出願人は、静電気クリーナーから振り落とされた埃を環境に拡散させずに集めて除去する技術を開発した。出願人の先願である、特許第５３７１０４６号公報（特許文献１）には、静電気クリーナーから筐体の内部に振り落とされた埃を掃除機で吸い取って除去する技術が開示されている。
【０００４】
ハンディワイパーは吸着性の高い繊維からなる払拭部が基材に取りつけられた払拭部材と、基材を装着するホルダーとハンディワイパーを保持する把持部が一体となった軸部材とから構成されている。そして、把持部を持ち払拭部で家具や家電製品の比較的平坦な表面を拭いて、家具等に付着した埃を絡め取るものである。
【０００５】
ハンディワイパーは手軽に掃除ができて便利なものであるが、細かな繊維で埃を絡め取るため、一度吸着した埃はハンディワイパーを振ったくらいではなかなか除去できない。よって、払拭部の汚れが目立つようになったら、払拭部材を新品と交換することになり、使い捨てとなる。そのため、ハンディワイパーの払拭部材自体が巨大なゴミとなり、環境に対して優しくないし、経済的でもない。
【０００６】
したがって、払拭部に吸着した埃を除去して払拭部を再生することが環境的にも経済的にも好ましい。再生方法としては、水で洗うことも考えられるが、洗うと繊維が凝集して繊維の表面積が減少するため吸着力が低下する。そして、払拭部材をホルダーから外して、洗って、乾かす等の作業が面倒で時間もかかる。そのため、簡易な再生方法として、掃除機により、払拭部に吸着した埃を吸い取る方法が利用されている。この方法によれば、払拭部を完全に再生することはできないが、糸屑や髪の毛のような大きな埃は取り除くことができ、ハンディワイパーを再び使用することができる。また、繊維が凝集してしまうと云う問題も生じない。
しかし、掃除機で払拭部に吸着した埃を吸い取る作業は、掃除機の吸い込み口とハンディワイパーのいずれも固定されていないため、不安定な状態での作業となり、吸い取り作業がやりにくいという問題がある。
【０００７】
そこで、出願人は、汎用の掃除機の吸引力を利用して、静電気クリーナー等の掃除道具から振り落とされた埃を環境に拡散させずに除去することができると共に、ハンディワイパー等の掃除道具に吸着した埃の除去を、安定した状態で楽な姿勢で手軽に行える除埃器を開発した。特許第５６８８４８３号公報（特許文献２）には、掃除機のスタンドとして使える台を筐体の内部に収納した状態で台に掃除機を載置すると、掃除機の吸い込み口が筐体に設けられた吸引口に連通して、吸引口でハンディワイパー等の掃除道具に吸着した埃を除去することができる除埃器が開示されている。そして、特許文献２に記載の除埃器では、台を除埃器の外部に引き出して台に掃除機を載置すると、掃除機の吸い込み口が筐体の内部空間に連通して、静電気クリーナー等の掃除道具から筐体の内部に振り落とされた埃を除去することができる。
【先行技術文献】
【特許文献】
【０００８】
【特許文献１】特許第５３７１０４６号公報
【特許文献２】特許第５６８８４８３号公報
【発明の概要】
【発明が解決しようとする課題】
【０００９】
特許文献２に記載の除埃器では、静電気クリーナーに吸着した埃のように掃除道具を振り動かす程度で落ちる埃は筐体の内部で振り払うことにより、埃を環境に拡散させずに除去することができる。そして、ハンディワイパーに吸着した毛髪や糸くずのように掃除道具を振り動かす程度では落ちない埃は吸引口で吸い取って除去することができる。よって、特許文献２に記載の除埃器では、埃の吸着の程度・状態により、二つの除去方法を選択または併用することができる利点がある。そして、除埃器を掃除機の保管場所として使用することができ、掃除機を除埃器の内部に収納したままで、ハンディワイパー等の掃除道具に吸着した埃の除去をすることができる。
【００１０】
しかしながら、特許文献２に記載の除埃器では、吸引口で吸い取る除去方式から、筐体の内部で振り落とす除去方式に変更するためには、台と掃除機を筐体から取り出す手間が必要となる。そして、掃除機を台に乗せたままで引き出せる構造であっても、筐体の側面の側面扉をスライドさせて開いてから、掃除機を台と一緒に引き出して、引き出し終わったら、筐体の側面の密閉性を確保する為に、掃除機と筐体の間の隙間で側面扉をスライドさせて閉める必要があり、埃の除去方式の切り換えが面倒である。
なお、特許文献２には、台と掃除機を筐体から引き出した状態では、埃の除去方式の切り換えを遮蔽レバー７６ｃのスライド操作（特許文献２、図８参照）あるいは操作部材８５ｄの回転操作（特許文献２、図１３参照）で行うことができる構成も開示されているが、台と掃除機を筐体から引き出すとき、筐体に収納するときには、側面扉を開閉する必要があることに変わりはない。
【００１１】
そこで、本発明が解決しようとする課題は、掃除機の吸引力を利用して掃除道具に吸着した埃を除去することができ、筐体の内部で掃除道具を振って埃を除去する除去方式と、吸引口に掃除道具を当てて埃を吸い取る除去方式を、ワンタッチで切り換えることのできる除埃器を提供することである。
【課題を解決するための手段】
【００１２】
上記課題を解決するため、本発明に係る除埃器は次の手段をとる。
まず、本発明の第１の発明は、
埃を吸着させる払拭部と保持用の把持部とを備えた掃除道具に吸着した埃を除去する除挨器であって、
前記掃除道具の払拭部を収容することのできる筐体と、該筐体の内部に設置される除埃用通風路と、掃除機に接続できる吸引用通風路を備えた吸引用部材とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記吸引用部材の操作により、前記吸引用部材の吸引用通風路が前記筐体の内部に開口する構成と、該吸引用部材の吸引用通風路が前記除埃用通風路の内部開口部から該除埃用通風路を経て該除埃用通風路の吸引口に連通する構成を切り換えることができる除埃器である。
【００１３】
この第１の発明によれば、吸引用部材の吸引用通風路に掃除機を接続し、吸引用部材の操作により吸引用部材の吸引用通風路を筐体の内部に開口させ、静電気クリーナー等の掃除道具の払拭部を筐体の上面開口部から筐体の内部に挿入して振り動かせば、掃除道具から筐体の内部に振り落とされた埃を掃除機の吸引力を利用して除去することができる。
そして、吸引用部材の吸引用通風路に掃除機を接続し、吸引用部材の操作により、吸引用部材の吸引用通風路が除埃用通風路の内部開口部から除埃用通風路を経て除埃用通風路の吸引口に連通する構成に切り換えれば、吸引口にハンディワイパー等の掃除道具の払拭部を当てることにより、掃除道具に吸着した埃を掃除機の吸引力を利用して除去することができる。
よって、本発明の第１の発明によれば、筐体の内部で掃除道具を振って埃を除去する除去方式と、吸引口に掃除道具を当てて埃を吸い取る除去方式を、吸引用部材のワンタッチの操作で切り換えることができる。
【００１４】
次に、本発明の第２の発明は、上記第１の発明に係る除埃器であって、前記筐体の上面は開閉可能な構成とされており、
前記筐体は内部に掃除機を収納することができ、前記吸引用部材は該筐体の内部の底部に設置され該掃除機のスタンドとして使用される台であって、
前記除埃用通風路の内部開口部は前記筐体の下部で開口する構成とされ、
前記筐体の側面下部には前記台を該筐体の側面下部の外側に移動させることのできる台移動用開口部が設けられ、
前記吸引用通風路は前記台の内部に設けられた台通風路であって、該台通風路は該台の外側に開口する台開口部と該台の上面に開口する掃除機用吸引口を備え、
前記掃除機が載置された状態の前記台を前記筐体の内外へ移動するとき該掃除機の移動経路にあたる該筐体の側面には側面開口部が設けられ
前記掃除機が前記筐体の上面開口部から突出するときは、該掃除機が載置された状態の前記台を該筐体の内外へ移動するとき該掃除機の移動経路にあたる該筐体の上面開口部と上面の側端の間の部位を切り欠いた上端開口部を設け、
前記台の上面には、該台を前記筐体の内部に収納したとき該筐体の側面開口部と反対側となる位置に、板状の内壁が取付けられており、
前記台を前記筐体の側面下部の外側に引き出した状態では、前記台通風路の台開口部が該筐体の内部に開口し、該筐体の側面開口部が該台に取り付けられた内壁により内側から塞がれ、
前記台に前記掃除機を載置して該台を前記筐体の内部に収納した状態では、前記台通風路の台開口部が前記除埃用通風路の内部開口部と接合して、該台の掃除機用吸引口から該除埃用通風路の吸引口に連通する通風路が形成される除埃器である。
【００１５】
この第２の発明によれば、掃除機を台に載置して筐体に収納した状態で掃除機の吸引具の開口部を台の掃除機用吸引口に接合させておくことにより、掃除機の吸引具の開口部が台通風路の台開口部から除埃用通風路の吸引口に連通する。そして、筐体の上面開口部により掃除機が露出するため、掃除機を筐体に収納した状態で掃除機を作動させるための操作をすることができる。よって、接続などの準備作業をすることなく、筐体の通風路用開口部から筐体の外部に開口する除埃用通風路の吸引口にハンディワイパー等の掃除道具の払拭部を当てることにより、掃除道具に吸着した埃を掃除機の吸引力を利用して除去することができる。
そして、台を筐体の側面下部の外側に引き出した状態では、掃除機の吸引具の開口部が台通風路を経て台開口部で筐体の内部に開口すると共に、筐体の側面開口部が台に取り付けられた内壁により内側から塞がれるので筐体の側面の密閉性が保たれる。そこで、静電気クリーナー等の掃除道具の払拭部を筐体の上面開口部から筐体の内部に挿入して振り動かせば、掃除道具から筐体の内部に振り落とされた埃を掃除機の吸引力を利用して除去することができる。
そして、台に掃除機を載置して台を筐体の内部に収納した状態では、台通風路の台開口部が除埃用通風路の内部開口部と接合して、台の掃除機用吸引口から除埃用通風路の吸引口に至る通風路が形成された状態に戻る。
よって、本発明の第２の発明によれば、掃除機を台に載置して筐体に収納した状態で掃除機の吸引具の開口部を台の掃除機用吸引口に接合させておくことにより、筐体の内部で掃除道具を振って埃を除去する除去方式と、吸引口に掃除道具を当てて埃を吸い取る除去方式を、掃除機が載置された台の筐体外部への移動及び筐体内部への移動というワンタッチの操作で切り換えることができる。
【００１６】
次に、本発明の第３の発明は、上記第１の発明に係る除埃器であって、
前記吸引用部材は前記筐体の側面に挿通されたパイプ部材であり、前記吸引用通風路は該パイプ部材の中空部であって、該中空部は該筐体の側面の外側の外端開口部と該筐体の側面の内側の内端開口部で開口しており、該パイプ部材は軸方向への移動により該筐体の内外への移動が可能な構成とされており、
前記除埃用通風路の内部開口部は前記パイプ部材を挿通することができる前記筐体の側面側の第１開口部と該筐体の内側の第２開口部からなり、該除埃用通風路の第２開口部の外側には遮蔽板が取り付けられており、
前記パイプ部材を前記筐体の内側方向に移動させると、該パイプ部材の外周部が前記除埃用通風路の第１開口部及び第２開口部に挿通された状態となり、該パイプ部材の内端開口部の側の先端で前記遮蔽板を押し開けて該パイプ部材の中空部の内端開口部が該筐体の内部に開口し、
前記パイプ部材を前記筐体の外側方向に移動させると、該パイプ部材の外周部が前記除埃用通風路の第１開口部のみに挿通された状態となり、該パイプ部材の中空部の内端開口部が該除埃用通風路に開口し、該除埃用通風路の第２開口部が遮蔽板で塞がれて、該パイプ部材の中空部の外端開口部が該除埃用通風路の吸引口に連通する除埃器である。
【００１７】
この第３の発明によれば、パイプ部材の中空部の外端開口部に掃除機を接続して、パイプ部材を筐体の内側方向に移動させると、パイプ部材の外周部が除埃用通風路の第１開口部及び第２開口部に挿通された状態となり、パイプ部材の内端開口部の側の先端で遮蔽板を押し開けてパイプ部材の中空部の内端開口部が筐体の内部に開口する。そこで、静電気クリーナー等の掃除道具の払拭部を筐体の上面開口部から筐体の内部に挿入して振り動かせば、掃除道具から筐体の内部に振り落とされた埃を掃除機の吸引力を利用して除去することができる。
そして、パイプ部材の中空部の外端開口部に掃除機を接続した状態で、パイプ部材を筐体の外側方向に移動させると、パイプ部材の外周部が除埃用通風路の第１開口部のみに挿通された状態となり、パイプ部材の中空部の内端開口部が除埃用通風路に開口し、除埃用通風路の第２開口部が遮蔽板で塞がれて、パイプ部材の中空部の外端開口部が除埃用通風路の吸引口に連通する。そこで、除埃用通風路の吸引口にハンディワイパー等の掃除道具の払拭部を当てることにより、掃除道具に吸着した埃を掃除機の吸引力を利用して除去することができる。
よって、本発明の第３の発明によれば、筐体の内部で掃除道具を振って埃を除去する除去方式と、吸引口に掃除道具を当てて埃を吸い取る除去方式を、パイプ部材の軸方向への移動というワンタッチの操作で切り換えることができる。
【００１８】
次に、本発明の第４の発明は、上記第１の発明に係る除埃器であって、
前記吸引用部材は前記筐体の側面に挿通されたパイプ部材であり、前記吸引用通風路は該パイプ部材の中空部であって、該パイプ部材は軸方向への移動により該筐体の内外への移動が可能な構成とされており、
前記除埃用通風路の内部開口部は前記筐体の側面側の第１開口部と該筐体の内側の第２開口部からなり、該第１開口部及び該第２開口部には前記パイプ部材が挿通されており、
前記パイプ部材の中空部の前記筐体の外側の端部は開口した外端開口部とされ、該中空部の該筐体の内側の端部は遮蔽部材で遮蔽され、該パイプ部材の該遮蔽部材に隣接する部位には外周部が該中空部に達するまで切り欠かれた側面開口部が形成されており、
前記パイプ部材を前記筐体の内側方向に移動させると、該パイプ部材の外周部が前記除埃用通風路の第１開口部及び第２開口部に挿通された状態となり、該パイプ部材の側面開口部が該筐体の内部に開口し、
前記パイプ部材を前記筐体の外側方向に移動させると、該パイプ部材の側面開口部が前記除埃用通風路の第１開口部と第２開口部の間に移動して、該パイプ部材の中空部の外端開口部が該除埃用通風路の吸引口に連通する除埃器である。
【００１９】
この第４の発明によれば、パイプ部材の中空部の外端開口部に掃除機を接続して、パイプ部材を筐体の内側方向に移動させると、パイプ部材の外周部が除埃用通風路の第１開口部及び第２開口部に挿通された状態となり、パイプ部材の側面開口部が筐体の内部に開口する。
そして、パイプ部材の中空部の外端開口部に掃除機を接続した状態で、パイプ部材を筐体の外側方向に移動させると、パイプ部材の側面開口部が除埃用通風路の第１開口部と第２開口部の間に移動して、パイプ部材の中空部の外端開口部が除埃用通風路の吸引口に連通する。
よって、本発明の第４の発明によれば、筐体の内部で掃除道具を振って埃を除去する除去方式と、吸引口に掃除道具を当てて埃を吸い取る除去方式を、パイプ部材の軸方向への移動というワンタッチの操作で切り換えることができる。
【００２０】
次に、本発明の第５の発明は、
埃を吸着させる払拭部と保持用の把持部とを備えた掃除道具に吸着した埃を除去する除挨器であって、
前記掃除道具の払拭部を収容することのできる筐体と、該筐体の内部に設置される除埃用通風路と、掃除機に接続できる吸引用通風路を備えた吸引用部材とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記除埃用通風路の操作により、前記吸引用部材の吸引用通風路が前記筐体の内部に開口する構成と、該吸引用部材の吸引用通風路が該除埃用通風路の内部開口部から該除埃用通風路を経て該除埃用通風路の吸引口に連通する構成を切り換えることができる除埃器である。
【００２１】
この第５の発明によれば、吸引用部材の吸引用通風路に掃除機を接続し、除埃用通風路の操作により吸引用部材の吸引用通風路を筐体の内部に開口させ、静電気クリーナー等の掃除道具の払拭部を筐体の上面開口部から筐体の内部に挿入して振り動かせば、掃除道具から筐体の内部に振り落とされた埃を掃除機の吸引力を利用して除去することができる。
そして、吸引用部材の吸引用通風路に掃除機を接続し、除埃用通風路の操作により、吸引用部材の吸引用通風路が除埃用通風路の内部開口部から除埃用通風路を経て除埃用通風路の吸引口に連通する構成に切り換えれば、吸引口にハンディワイパー等の掃除道具の払拭部を当てることにより、掃除道具に吸着した埃を掃除機の吸引力を利用して除去することができる。
よって、本発明の第５の発明によれば、筐体の内部で掃除道具を振って埃を除去する除去方式と、吸引口に掃除道具を当てて埃を吸い取る除去方式を、除埃用通風路のワンタッチの操作で切り換えることができる。
【００２２】
次に、本発明の第６の発明は、上記第５の発明に係る除埃器であって、
前記通風路用開口部は前記筐体の上面に設けられており、
前記吸引用部材は前記筐体の側面に挿通されたパイプ部材であり、前記吸引用通風路は該パイプ部材の中空部であって、該中空部は該筐体の側面の外側の外端開口部と該筐体の側面の内側の内端開口部で開口しており、
前記筐体の内部に前記除埃用通風路を収納することができる筒状の通風路保持器を備え、該通風路保持器は前記パイプ部材の内端開口部に接続されるパイプ部材接続口と、該筐体の内部に開口する側面開口部と、上端開口部とを備え、
前記除埃用通風路は底部を備え、前記通風路保持器に収納された状態で上下に移動させることができ、下方位置及び上方位置で留まることができる構成とされており、
前記除埃用通風路を上方位置に移動させると、該除埃用通風路の底部が前記通風路保持器のパイプ部材接続口及び側面開口部の上方となり、前記パイプ部材の中空部が、該通風路保持器の該除埃用通風路よりも下方の空間を経て該筐体の内部に開口し、
前記除埃用通風路を下方位置に移動させると、該除埃用通風路の内部開口部が前記通風路保持器のパイプ部材接続口と重なり、該除埃用通風路の側面が該通風路保持器の側面開口部を塞いで、該パイプ部材の中空部の外端開口部が該除埃用通風路を経て該除埃用通風路の吸引口に連通する除埃器である。
【００２３】
この第６の発明によれば、パイプ部材の中空部の外端開口部に掃除機を接続して、除埃用通風路を上方位置に移動させると、除埃用通風路の底部が通風路保持器のパイプ部材接続口及び側面開口部の上方となり、パイプ部材の中空部の外端開口部が、通風路保持器の除埃用通風路よりも下方の空間を経て筐体の内部に開口する。
そして、パイプ部材の中空部の外端開口部に掃除機を接続した状態で、除埃用通風路を下方位置に移動させると、除埃用通風路の内部開口部が通風路保持器のパイプ部材接続口と重なり、除埃用通風路の側面が通風路保持器の側面開口部を塞いで、パイプ部材の中空部の外端開口部が除埃用通風路を経て除埃用通風路の吸引口に開口する。
よって、本発明の第６の発明によれば、筐体の内部で掃除道具を振って埃を除去する除去方式と、吸引口に掃除道具を当てて埃を吸い取る除去方式を、除埃用通風路の上下方向の移動というワンタッチの操作で切り換えることができる。
【００２４】
次に、本発明の第７の発明は、
埃を吸着させる払拭部と保持用の把持部とを備えた掃除道具に吸着した埃を除去する除挨器であって、
前記掃除道具の払拭部を収容することのできる筐体と、該筐体の内部に設置される除埃用通風路と、掃除機に接続できる吸引用通風路を備えた吸引用部材と、通風路切換器とを備え、
前記筐体は前記掃除道具の払拭部を把持部の軸方向と交差する方向に振り動かすことができる大きさの内部空間を有しており、
前記除埃用通風路は前記筐体の外部に開口する前記掃除道具に吸着した埃を吸い込むための吸引口と該筐体の内部に開口する内部開口部とを備え、
前記筐体の上面に前記掃除道具の払拭部を該筐体の内部に挿入することのできる上面開口部が設けられると共に、該筐体の上面又は側面に前記除埃用通風路の吸引口を該筐体の外部に開口させるための通風路用開口部が設けられており、
前記通風路切換器の操作により、前記吸引用部材の吸引用通風路が前記筐体の内部に開口する構成と、該吸引用部材の吸引用通風路が該除埃用通風路の内部開口部から該除埃用通風路を経て該除埃用通風路の吸引口に連通する構成を切り換えることができる除埃器である。
【００２５】
この第７の発明のよれば、吸引用部材の吸引用通風路に掃除機を接続し、通風路切換器の操作により吸引用部材の吸引用通風路を筐体の内部に開口させ、静電気クリーナー等の掃除道具の払拭部を筐体の上面開口部から筐体の内部に挿入して振り動かせば、掃除道具から筐体の内部に振り落とされた埃を掃除機の吸引力を利用して除去することができる。
そして、吸引用部材の吸引用通風路に掃除機を接続し、通風路切換器の操作により、吸引用部材の吸引用通風路が除埃用通風路の内部開口部から除埃用通風路を経て除埃用通風路の吸引口に連通する構成に切り換えれば、除埃用通風路の吸引口にハンディワイパー等の掃除道具の払拭部を当てることにより、掃除道具に吸着した埃を掃除機の吸引力を利用して除去することができる。
よって、本発明の第７の発明によれば、筐体の内部で掃除道具を振って埃を除去する除去方式と、吸引口に掃除道具を当てて埃を吸い取る除去方式を、通風路切換器のワンタッチの操作で切り換えることができる。
【００２６】
次に、本発明の第８の発明は、上記第７の発明に係る除埃器であって、
前記吸引用部材は前記筐体の側面に挿通されたパイプ部材であり、前記吸引用通風路は該パイプ部材の中空部であって、該中空部は該筐体の側面の外側の外端開口部と該筐体の側面の内側の内端開口部で開口しており、
前記除埃用通風路の内部開口部は、前記パイプ部材の内端開口部に接続する第１開口部と、前記筐体の内部に開口する第２開口部からなり、
前記通風路切換器は前記除埃用通風路の内部に収納された板状の部材であって該除埃用通風路の内部の通風を遮断することのできる遮断部材を備え、該除埃用通風路に収納された状態で上下に移動させることができ、上方位置及び下方位置で留まることができる構成とされており、
前記通風路切換器を上方位置に移動させると、該通風路切換器の遮断部材が前記除埃用通風路の第１開口部及び第２開口部の上方となり、前記パイプ部材の中空部が、該除埃用通風路の第１開口部及び第２開口部を経て該筐体の内部に開口し、
前記通風路切換器を下方位置に移動させると、該通風路切換器の遮断部材が前記除埃用通風路の第１開口部よりも下方となって前記パイプ部材の内端開口部が該除埃用通風路の内部に開口し、該通風路切換器の板状の部分が該除埃用通風路の第２開口部を塞いで、前記パイプ部材の中空部の外端開口部が該除埃用通風路の吸引口に連通する除埃器である。
【００２７】
この第８の発明によれば、通風路切換器を上方位置に移動させると、通風路切換器の遮断部材が除埃用通風路の第１開口部及び第２開口部の上方となり、パイプ部材の中空部が、除埃用通風路の第１開口部及び第２開口部を経て筐体の内部に開口する。
そして、通風路切換器を下方位置に移動させると、通風路切換器の遮断部材が除埃用通風路の第１開口部よりも下方となり、通風路切換器の板状の部分が除埃用通風路の第２開口部を塞いで、パイプ部材の中空部の外端開口部が除埃用通風路を経て除埃用通風路の吸引口に連通する。
よって、本発明の第８の発明によれば、筐体の内部で掃除道具を振って埃を除去する除去方式と、吸引口に掃除道具を当てて埃を吸い取る除去方式を、通風路切換器の上下への移動というワンタッチの操作で切り換えることができる。
【００２８】
次に、本発明の第９の発明は、上記第７の発明に係る除埃器であって、
前記吸引用部材は前記筐体の側面に挿通されたパイプ部材であり、前記吸引用通風路は該パイプ部材の中空部であって、該中空部は該筐体の側面の外側の外端開口部と該筐体の側面の内側の内端開口部で開口しており、
前記筐体の内部に前記除埃用通風路に隣接して補助通風路が設置され、該補助通風路は上端開口部と、該除埃用通風路に面する側面開口部を備え、
前記除埃用通風路の内部開口部は、前記パイプ部材の内端開口部に接続する第１開口部と、前記補助通風路の側面開口部に連通する第２開口部からなり、
前記通風路切換器は通風孔を備えた板状の部材であって、前記パイプ部材が挿通された位置よりも上方の前記筐体の側面に挿通され、前記除埃用通風路の側面に形成されたスリットを通過して、前記補助通風路の上端開口部に接する状態で配置され、該筐体の側面に対して内側方向及び外側方向に移動させることが可能な構成とされており、
前記通風路切換器を前記筐体の内側方向に移動させると、該通風路切換器の通風孔が前記補助通風路の上端開口部に重なる位置に移動して該上端開口部を該筐体の内部に開口させ、該通風路切換器の板状の部分が前記除埃用通風路を上部と下部に遮断して、前記パイプ部材の中空部が該除埃用通風路の下部及び該補助通風路を経て該筐体の内部に開口し、
前記通風路切換器を前記筐体の外側方向に移動させると、前記通風路切換器の通風孔が前記除埃用通風路の内側に移動して該除埃用通風路の下部と上部が連通し、該通風路切換器の板状の部分が前記補助通風路の上端開口部を遮蔽して、前記パイプ部材の中空部の外端開口部が該除埃用通風路の吸引口に連通する除埃器である。
【００２９】
この第９の発明によれば、通風路切換器を筐体の内側方向に移動させると、通風路切換器の通風孔が補助通風路の上端開口部に重なる位置に移動して上端開口部を筐体内部に開口させ、通風路切換器の板状の部分が除埃用通風路を上部と下部に遮断して、パイプ部材の中空部が除埃用通風路の下部及び補助通風路を経て筐体の内部に開口する。
そして、通風路切換器を筐体の外側方向に移動させると、通風路切換器の通風孔が除埃用通風路の内側に移動して除埃用通風路の下部と上部が連通し、通風路切換器の板状の部分が補助通風路の上端開口部を遮蔽して、パイプ部材の中空部の外端開口部が除埃用通風路を経て除埃用通風路の吸引口に連通する。
よって、本発明の第９の発明によれば、筐体の内部で掃除道具を振って埃を除去する除去方式と、吸引口に掃除道具を当てて埃を吸い取る除去方式を、通風路切換器の筐体の側面に対する内外への移動というワンタッチの操作で切り換えることができる。
【発明の効果】
【００３０】
上述の本発明の各発明によれば、次の効果が得られる。
まず、上述の第１の発明によれば、、筐体の内部で掃除道具を振って埃を除去する除去方式と、吸引口に掃除道具を当てて埃を吸い取る除去方式を吸引用部材のワンタッチの操作で切り換えることができる。
次に、上述の第２の発明によれば、掃除機を台に載置して筐体に収納した状態で掃除機の吸引具の開口部を台の掃除機用吸引口に接合させておくことにより、筐体の内部で掃除道具を振って埃を除去する除去方式と、吸引口に掃除道具を当てて埃を吸い取る除去方式を、掃除機が載置された台の筐体外部への移動及び筐体内部への移動というワンタッチの操作で切り換えることができる。
次に、上述の第３の発明及び第４の発明では、筐体の内部で掃除道具を振って埃を除去する除去方式と、吸引口に掃除道具を当てて埃を吸い取る除去方式を、パイプ部材の軸方向への移動というワンタッチの操作で切り換えることができる。
次に、上述の第５の発明によれば、筐体の内部で掃除道具を振って埃を除去する除去方式と、吸引口に掃除道具を当てて埃を吸い取る除去方式を、除埃用通風路のワンタッチの操作で切り換えることができる。
次に、上述の第６の発明によれば、筐体の内部で掃除道具を振って埃を除去する除去方式と、吸引口に掃除道具を当てて埃を吸い取る除去方式を、除埃用通風路の上下方向の移動というワンタッチの操作で切り換えることができる。
次に、上述の第７の発明によれば、筐体の内部で掃除道具を振って埃を除去する除去方式と、吸引口に掃除道具を当てて埃を吸い取る除去方式を、通風路切換器のワンタッチの操作で切り換えることができる。
つぎに、上述の第８の発明によれば、筐体の内部で掃除道具を振って埃を除去する除去方式と、吸引口に掃除道具を当てて埃を吸い取る除去方式を、通風路切換器の上下への移動というワンタッチの操作で切り換えることができる。
次に、本発明の第９の発明によれば、筐体の内部で掃除道具を振って埃を除去する除去方式と、吸引口に掃除道具を当てて埃を吸い取る除去方式を、通風路切換器の筐体の側面に対する内外への移動というワンタッチの操作で切り換えることができる。
【図面の簡単な説明】
【００３１】
【図１】実施例１の除埃器の外観図である。
【図２】実施例１の除埃器において、台に掃除機を載置して筐体の外側に引き出す途中の状態の外観図である。
【図３】実施例１の除埃器において、台に掃除機を載置して筐体の外側に引き出した状態を裏側から見た透視図である。
【図４】実施例１の除埃器の台の外観を示した図である。
【図５】実施例１の除埃器の図１のＡ−Ａ位置における断面図である。
【図６】実施例２の除埃器の外観図である。
【図７】実施例２の除埃器でパイプ部材を押し込んだ状態の透視図である。
【図８】図７でパイプ部材を非表示にした状態の透視図である。
【図９】実施例２の除埃器でパイプ部材を引き出した状態の透視図である。
【図１０】実施例３の除埃器でパイプ部材を押し込んだ状態の透視図である。
【図１１】実施例３の除埃器でパイプ部材を引き出した状態の透視図である。
【図１２】実施例４の除埃器で除埃用通風路を上方位置にした時の透視図である。
【図１３】図１２の状態の除埃器を、蓋を非表示とし通風路保持器と除埃用通風路を透視表示して、別角度から見た透視図である。
【図１４】実施例４の除埃器で除埃用通風路を下方位置にした時の透視図である。
【図１５】実施例５の除埃器で通風路切換器を上方位置にした時の透視図である。
【図１６】図１５の状態の除埃器を、蓋を非表示として、別角度から見た透視図である。
【図１７】実施例５の除埃器で通風路切換器を下方位置とした時の透視図である。
【図１８】実施例６の除埃器で通風路切換器を押し込んだ状態の透視図である。
【図１９】実施例６の除埃器で通風路切換器を引き出した状態の透視図である。
【発明を実施するための形態】
【００３２】
以下、本発明を実施するための形態について実施例にしたがって説明する。
【実施例１】
【００３３】
［実施例１の構成］
図１から図５を用いて本発明の実施例１の除埃器１０について説明する。除埃器１０はハンディワイパーや静電気クリーナー等の掃除道具に吸着した埃を除去する除埃器であって、掃除機６０を収納できる筐体２０と、筐体２０の内部に設置される除埃用通風路４０と、筐体２０の内部の底部に設置され掃除機６０のスタンドとして使用される台７０とを備え、筐体２０の上面は開閉可能な蓋２２で構成されている。そして、この台７０が本発明の吸引用部材に相当する。
【００３４】
図１に、台７０に載置された掃除機６０が筐体２０の内部に収納された状態の外観図を示す。筐体２０の上面の蓋２２には上面開口部２４が設けられており、上面開口部２４から掃除機６０の把持部６６が突きだしている。そして、筐体２０の上面の蓋２２には通風路用開口部２６が設けられており、通風路用開口部２６で除埃用通風路４０が筐体２０の外部に開口している。
そして、筐体２０の側面下部には台７０を筐体２０の側面下部の外側に移動させることができる台移動用開口部３４が設けられている。
【００３５】
掃除機６０が載置された状態の台７０を筐体２０の内外に移動するとき、掃除機６０の移動経路にあたる筐体２０の側面には側面開口部２８が設けられている。そして、側面開口部２８の一方の側端部に、付勢された蝶番により外扉３０が取り付けられており、側面開口部２８は外扉３０により外側から塞がれている。
外扉３０の内側には磁石につく性質を有する金属板３１が貼り付けられており、外扉３０を蝶番の回りに１８０度広げて筐体２０の側面に重ねたときに、金属板３１に対応する位置の筐体２０の側面の裏側には磁石製のホルダ３９が取り付けられている。したがって、磁力を利用して、外扉３０を１８０度広げて筐体２０の側面に張り付けておくことができる。
そして、掃除機６０が載置された状態の台７０を筐体２０の内外へ移動するとき、掃除機６０の移動経路にあたる筐体２０の蓋２２の上面開口部２４と上面の側端の間の部位を切り欠いて上端開口部３２が設けられている。
そして、筐体２０の台移動用開口部３４から露出する台７０の側面には、掃除機６０が載置された台７０を筐体２０の内外に移動させるときに使用するハンドル８０が取り付けられている。
【００３６】
図２に、掃除機６０が台７０に載置された状態で、台７０を筐体２０の外側に移動させる途中の状態の除埃器１０の外観図を示す。そして、図３に、台７０の筐体２０の外側への移動を終了した状態の除埃器１０を図２の後ろ側から見た透視図を示す。図３では筐体２０の後ろ側の側面を透視表示している。
図２に示すように、除埃用通風路４０は、蓋２２に設けられた通風路用開口部２６で筐体２０の外部に開口する吸引口４２と、筐体２０の下部で筐体２０の内部に開口する内部開口部４４を備えている。そして、図３に示すように、筐体２０の底面にはレール３６が取り付けられており、除埃用通風路４０が設置された側の筐体２０の側面の内側には磁石製のストッパ３８が取り付けられている。
【００３７】
図４に、台７０の外観図を示す。台７０の上面にはハンドル８０と反対側の位置に、台７０に固定された支持棒７９の軸の周りに回転が可能な状態で板状の内壁７８が取り付けられている。そして、台７０の内部には台７０の側方に開口する台開口部７４と台７０の上面の凹部７７に開口する掃除機用吸引口７６を備えた台通風路７２が設けられている。この台通風路７２が本発明の吸引用通風路に相当する。そして、台７０の上面の凹部７７は、掃除機６０の吸引具６２（図２参照）を収容できるように、吸引具６２の底面よりも少し大きく形成されている。そして、図４に点線で示すとおり、台７０の下面にはローラー８２が嵌め込まれており、台７０の台開口部７４が設けられた側面には磁石につく性質を有する金属板８４が貼り付けられている。
【００３８】
そして、台７０のローラー８２を筐体２０の底部のレール３６に乗せて、台７０の金属板８４が筐体２０のストッパ３８に接触する位置に台７０を収納すると、台通風路７２の台開口部７４と除埃用通風路４０の内部開口部４４が接合した状態となる。そして、台通風路７２と除埃用通風路４０が連通し、台通風路７２に設けられた掃除機用吸引口７６から筐体２０に設けられた通風路用開口部２６で開口する除埃用通風路４０の吸引口４２に至る通風路が形成される。
【００３９】
図５に、図１のＡ−Ａ位置における除埃器１０の台７０の周囲を拡大した断面図を示す。台７０が筐体２０に収納された状態で掃除機６０を台７０に載置するとき、掃除機６０の吸引具６２を、台７０の凹部７７に収まるように載せると、吸引具６２の開口部６４が台７０の掃除機用吸引口７６と接合して、掃除機６０の吸引具６２の開口部６４が台通風路７２と除埃用通風路４０を経て、図示を省略した部分で筐体２０に設けられた通風路用開口部２６で開口する除埃用通風路４０の吸引口４２に連通する。
【００４０】
そして、除埃器１０は、台７０に掃除機６０を載置した状態で、台７０のハンドル８０を引いて台７０と掃除機６０を筐体２０の外側に移動させると、図２に示すように、掃除機６０に押されて外扉３０が回動して開き、さらに外側に移動させると、図３に示すように、台７０の内壁７８が筐体２０の側面開口部２８の内側に当たるので、この位置で外側への移動を終了させることができる。
そして、ハンドル８０を押して台７０と掃除機６０を筐体２０の内側に移動させると、外扉３０に作用する付勢力により外扉３０が回動して閉まり、台７０の金属板８４が筐体２０のストッパ３８に当たるので、この位置で内側への移動を終了させることができる。
【００４１】
掃除機６０は、台７０を筐体２０に収納した状態で、蓋２２を開けて筐体２０の上面から筐体２０に収納して台７０に載置したり、筐体２０から取り出したりすることができる。
そして、筐体２０の上端開口部３２から外扉３０の上部を手前に引いて外扉３０を１８０度広げ、外扉３０の金属板３１と筐体２０の側面の磁石製のホルダ３９を接近させて磁力により外扉３０を筐体２０の側面に張り付けておくことができる。そして、外扉３０が１８０度開いた状態では、外扉３０の存在を意識せずに、ハンドル８０を引いて台７０を筐体２０の外部に引き出して台７０に掃除機６０を載置することができ、掃除機６０を載置した台７０のハンドル８０を押して、掃除機６０と台７０を筐体２０の側面から筐体２０に収納することができる。そして、掃除機６０を載置した台７０のハンドル８０を引いて、掃除機６０と台７０を筐体２０の側面から筐体２０の外部に引き出して、筐体２０の外部で台７０から掃除機６０を下ろすことができる。
そして、台７０は、掃除機６０を下ろした状態で、筐体２０の途中の位置まで引き出し、内壁７８を支持棒７９を軸に回転させて側面開口部２８を通過できる向きに変えることにより、筐体２０の側面から筐体２０の外部へ取り出すことができる。
【００４２】
［実施例１の効果］
実施例１の除埃器１０によれば、掃除機６０を台７０に載置して筐体２０に収納した状態で掃除機６０の吸引具６２の開口部６４を台７０の掃除機用吸引口７６に接合させておくことにより、掃除機６０の吸引具６２の開口部６４が台通風路７２の台開口部７４から除埃用通風路４０を経て筐体２０の通風路用開口部２６で開口する除埃用通風路４０の吸引口４２に連通する。そして、筐体２０の上面開口部２４より掃除機６０が露出するため、掃除機６０を筐体２０に収納した状態で掃除機６０を作動させるための操作をすることができる。よって、接続などの準備作業をすることなく、除埃用通風路４０の吸引口４２にハンディワイパー等の掃除道具の払拭部を当てることにより、掃除道具に吸着した埃を掃除機６０の吸引力を利用して除去することができる。また、掃除機６０を載置して台７０を筐体２０の内部に収納した状態では、付勢された外扉３０により側面開口部２８が塞がれているため、掃除機６０の側面が露出しないので外観がすっきりする。
【００４３】
そして、台７０に掃除機６０を載置した状態で、ハンドル８０を引いて台７０を筐体２０の外側に移動させると、掃除機６０に押されて外扉３０が回動して開き、台７０を筐体２０の側面下部の外側に引き出した状態では、掃除機６０の吸引具６２の開口部６４が台通風路７２を経て台開口部７４で筐体２０の内部に開口すると共に、筐体２０の側面開口部２８が台７０に取り付けられた内壁７８により内側から塞がれるので筐体２０の側面の密閉性が保たれる。そこで、静電気クリーナー等の掃除道具の払拭部を筐体２０の上面開口部２４から筐体２０の内部に挿入して振り動かせば、掃除道具から筐体２０の内部に振り落とされた埃を掃除機６０の吸引力を利用して除去することができる。
【００４４】
そして、台７０に掃除機６０を載置した状態で、ハンドル８０を押して台７０を筐体２０の内側に移動させると、外扉３０に作用する付勢力により、外扉３０が回動して閉まり、台７０に掃除機６０を載置して台７０を筐体２０の内部に収納した状態では、付勢された外扉３０により側面開口部２８が塞がれて、台通風路７２の台開口部７４が除埃用通風路４０の内部開口部４４と接合して、台７０の掃除機用吸引口７６から筐体２０の通風路用開口部２６で開口する除埃用通風路４０の吸引口４２に至る通風路が形成された状態に戻る。
よって、実施例１の除埃器１０によれば、筐体２０の内部で掃除道具を振って埃を除去する除去方式と、筐体２０の通風路用開口部２６で開口する除埃用通風路４０の吸引口４２に掃除道具を当てて埃を吸い取る除去方式を、台７０に取り付けられたハンドル８０を引いたり押したりすることによる、掃除機６０が載置された台７０の筐体２０の外側への移動及び筐体２０の内側への移動というワンタッチの操作で切り換えることができる。
【００４５】
［実施例１の変形例］
実施例１の除埃器１０では、掃除機６０が外扉３０を直接押して回転させる構成としたが、外扉３０の内側にローラーを備え、掃除機６０がローラーを介して外扉３０を押す構成としても良い。ローラーを介することで、外扉３０と掃除機６０の摩擦を低減できるので、掃除機６０を載置して台７０を引き出すときの負荷を減らすことができ、掃除機６０に擦り傷が付くのを防ぐことができる。
なお、実施例１では、側面開口部２８を塞ぐ外扉３０を備える構成としたが、外扉３０は、掃除機６０を筐体２０に収納したときに外観をすっきりさせるための役割を担うものであって、埃を除去する上では必須ではないので、省略することもできる。外扉３０を省略すれば、側面開口部２８から筐体２０の外側にはみ出す掃除機を台７０に載置して使用することもできる。
【００４６】
実施例１では掃除機６０の開口部６４と台７０の掃除機用吸引口７６を容易に接合するために台７０の上面に掃除機６０の吸引具６２より少し大きな凹部７７を設けたが、掃除機６０の開口部６４と台７０の掃除機用吸引口７６を容易に接合する方向はこれに限られない。掃除機６０を安定して載置するために、台７０の凹部７７に吸引具６２を固定する押さえ板やゴムバンド等の固定治具を設けてもよい。
【００４７】
そして、台７０の凹部７７を掃除機６０の吸引具６２を余裕を持って収容できる広さ及び深さで形成し、掃除機用吸引口７６を掃除機６０の吸引具６２の開口部６４と交差する方向に長めに形成して、吸引具６２を凹部７７に収容後に凹部７７を固い素材で作成した蓋で覆って密閉する構成としても良い。この構成では、掃除機用吸引口７６と掃除機６０の吸引具６２の開口部６４に接合する部分があれば、掃除機用吸引口７６を含む凹部７７全体が掃除機用の吸引口として働くので、この台７０の凹部７７に吸引具６２を収容できる掃除機６０であれば、吸引用の掃除機６０として使用することができる。
また、蓋の代わりに、凹部７７の上部に柔軟性のある素材で作製された筒状のカバーを備える構成とすれば、吸引具６２が凹部７７の上方にはみ出しても、カバーで吸引具６２を包み込んでカバーの口を閉めることにより、掃除機用吸引口７６を含む凹部７７全体が掃除機用の吸引口として働く。
蓋や筒状のカバーを利用して吸引具６２を収容した凹部７７を密閉する構成は、掃除機６０の吸引具６２の開口部６４の周囲の高さが一定せず、開口部６４を台７０の掃除機用吸引口７６に接合させても開口部６４の周囲に隙間が生じる場合にも有効である。
また、蓋や筒状のカバーを利用して吸引具６２を包み込み密封できれば、台７０の上面は凹部７７を省略して平坦でもよい。
【００４８】
実施例１の除埃器１０では、掃除機６０を筐体２０に収納する構成のため、扱いやすさの点でスティックタイプの掃除機が一般的となるが、スティックタイプは吸引力がそれほど強くないものが多い。そこで、より強力な吸引力で除埃したいときは、掃除機６０から吸引具６２を取り外して吸引具６２の開口部６４を台７０の掃除機用吸引口７６に接合させ固定治具で台７０に固定し、吸引具６２と他の吸引力の強い掃除機の吸い込みパイプとを、継ぎ手パイプ等を経由して接続しても良い。
このように、掃除機を台７０に載置しない構成としても、台７０を筐体２０の内外に移動させることは可能であり、台７０の移動操作により、筐体２０の内部で掃除道具を振って埃を除去する除去方式と、除埃用通風路４０の吸引口４２に掃除道具を当てて埃を吸い取る除去方式を、ワンタッチで切り換えることができる。
【００４９】
実施例１の除埃器１０にはコード式の掃除機も充電式の掃除機も使用できる。コード式の場合は、筐体２０の上面開口部２４からコードを引き出すこともできるし、外扉３０を省略するか開放状態として、側面開口部２８からコードを引き出すこともできる。
また、筐体２０に電源用コードとコンセントの口を設置し、筐体２０から掃除機に電気を供給する形式としても良い。その時は、電源用コードの途中に中間スイッチを設けて、中間スイッチを筐体２０の上面または側面に配置して、中間スイッチで掃除機の電源のオン、オフができるようにしても良い。
また、充電式の掃除機を使用する場合は、台７０に充電機能を持たせて充電機能付きの台としても良い。台７０が充電機能を持っていれば、蓄電機能を持った掃除機６０を筐体２０に収納した状態で充電することができる。
【００５０】
台７０に取り付けたハンドル８０は角度や長さを調節できる構成としても良い。また、ハンドル８０の代わりに取っ手を付けても良く、指を掛けられる凹部を設けてもよい。
そして、台７０の上面に側面開口部２８を通過できるスタンドを追加して、スタンドで掃除機６０を支える構成とすることもできる。
そして、台７０の支持棒７９を省略して、内壁７８を台７０に直接固定してもよい。このときは、ハンドル８０の代わりに指を掛けられる凹部を台７０の側面に設けるなど、台７０が筐体２０の内部に収まる構成とすることで、台７０を筐体２０の上面から筐体２０に収納したり、取り出したりすることができる。
【実施例２】
【００５１】
［実施例２の構成］
実施例１では、掃除機を除埃器の筐体の内部に収容できる構成を示したが、本発明では、掃除機を除埃器の外側で接続する構成とすることもできる。
図６に、本発明の実施例２の除埃器１０ａの外観図を示す。除埃器１０ａはハンディワイパーや静電気クリーナー等の掃除道具に吸着した埃を除去する除埃器であって、掃除道具の払拭部を収容することのできる筐体２０ａと、筐体２０ａの内部に設置される除埃用通風路４０ａとを備え、筐体２０ａは掃除道具の払拭部を把持部の軸方向と交差する方向に振り動かすことができる大きさの内部空間を有している。
そして、筐体２０ａの上面は開閉可能な蓋２２ａで構成されており、筐体２０ａの上面の蓋２２ａには掃除道具の払拭部を筐体２０ａの内部に挿入することのできる上面開口部２４ａと、除埃用通風路４０ａを筐体２０ａの外部に開口させるための通風路用開口部２６ａが設けられている。
【００５２】
筐体２０ａの側面には掃除機に接続できるパイプ部材９０ａが挿通されており、パイプ部材９０ａが本発明の吸引用部材に相当し、パイプ部材９０ａの中空部９２ａが本発明の吸引用通風路に相当する。
パイプ部材９０ａは軸方向への移動により筐体２０ａの内外への移動が可能な構成とされており、パイプ部材９０ａは筐体２０ａの外側の外周部９４ａに円筒状の外部リング９６ａを備えており、パイプ部材９０ａの中空部９２ａは筐体２０ａの側面の外側の外端開口部９１ａと筐体２０ａの側面の内側の内端開口部９３ａ(図７参照）で開口している。
【００５３】
図７に、パイプ部材９０ａを筐体２０ａの内側に移動させた状態の除埃器１０ａの透視図を示す。そして、図８に、パイプ部材９０ａを筐体２０ａの内側に移動させた状態でパイプ部材９０ａを非表示にした透視図を示す。
筐体２０ａの内部には筐体２０ａの底面に固定された除埃用通風路４０ａが設置されている。図７では、形状の把握の便宜のために筐体２０ａ及び除埃用通風路４０ａの側面の一部を透視表示している。そして、除埃用通風路４０ａは筐体２０ａの上面の蓋２２ａに設けられた通風路用開口部２６ａに開口する吸引口４２ａと筐体２０ａの内部に開口する内部開口部４４ａを備えている。
そして、パイプ部材９０ａは、筐体２０ａの側面の内側と除埃用通風路４０ａの間の外周部９４ａに円筒状の内部リング９８ａを備えている。
【００５４】
除埃用通風路４０ａの内部開口部４４ａはパイプ部材９０ａを挿通することができる筐体２０ａの側面側の第１開口部４６ａと筐体２０ａの内側の第２開口部４８ａからなっている。そして、除埃用通風路４０ａの第２開口部４８ａの外側には、第２開口部４８ａを覆うことのできる矩形の遮蔽板５０ａが、上辺を軸に図示しない付勢された蝶番により除埃用通風路４０ａに取り付けられており、蝶番の付勢力は第２開口部４８ａを塞ぐ向きに働いている。なお、遮蔽板５０ａは第２開口部４８ａを覆うことができれば矩形に限られず丸形でもよい。
パイプ部材９０ａを筐体２０ａの内側方向に移動させると、パイプ部材９０ａの外周部９４ａが除埃用通風路４０ａの第１開口部４６ａ及び第２開口部４８ａに挿通された状態となり、パイプ部材９０ａの内端開口部９３ａの側の先端で遮蔽板５０ａを押し開けてパイプ部材９０ａの中空部９２ａの内端開口部９３ａが筐体２０ａの内部に開口する。そして、パイプ部材９０ａの外部リング９６ａが筐体２０ａの外側の側面に当たった状態で、パイプ部材９０ａの筐体２０ａの内側方向への移動が止まる。
【００５５】
図９に、パイプ部材９０ａを筐体２０ａの外側に移動させた状態の透視図を示す。図９では、筐体２０ａの側面と除埃用通風路４０ａの側面を透視表示している。パイプ部材９０ａを筐体２０ａの外側方向に移動させると、パイプ部材９０ａの外周部９４ａが除埃用通風路４０ａの第１開口部４６ａのみに挿通された状態となり、パイプ部材９０ａの中空部９２ａの内端開口部９３ａが除埃用通風路４０ａに開口し、遮蔽板５０ａが付勢された蝶番により除埃用通風路４０ａに押しつけられ、除埃用通風路４０ａの第２開口部４８ａが遮蔽板５０ａで塞がれて、パイプ部材９０ａの中空部９２ａが除埃用通風路４０ａに連通する。そして、パイプ部材９０ａの内部リング９８ａが筐体２０ａの内側の側面に当たった状態で、パイプ部材９０ａの筐体２０ａの外側への移動が止まる。
遮蔽板５０ａは付勢されていない蝶番等により回転自在な状態で除埃用通風路４０ａに取り付けて、自重で垂直に垂れ下がって第２開口部４８ａを塞ぐ構成としても良い。
【００５６】
［実施例２の効果］
実施例２の除埃器１０ａによれば、パイプ部材９０ａに掃除機を接続して、パイプ部材９０ａを筐体２０ａの内側方向に移動させると、パイプ部材９０ａの外周部９４ａが除埃用通風路４０ａの第１開口部４６ａ及び第２開口部４８ａに挿通された状態となり、パイプ部材９０ａの内端開口部９３ａ側の先端で遮蔽板５０ａを押し開けてパイプ部材９０ａの中空部９２ａの内端開口部９３ａが筐体２０ａの内部に開口する。よって、静電気クリーナー等の掃除道具の払拭部を筐体２０ａの上面開口部２４ａから筐体２０ａの内部に挿入して振り動かせば、掃除道具から筐体２０ａの内部に振り落とされた埃を掃除機の吸引力を利用して除去することができる。
【００５７】
そして、パイプ部材９０ａに掃除機を接続した状態で、パイプ部材９０ａを筐体２０ａの外側方向に移動させると、パイプ部材９０ａの外周部９４ａが除埃用通風路４０ａの第１開口部４６ａのみに挿通された状態となる。そして、パイプ部材９０ａの中空部９２ａの内端開口部９３ａが除埃用通風路４０ａに開口し、除埃用通風路４０ａの第２開口部４８ａが遮蔽板５０ａで塞がれるので、パイプ部材９０ａの中空部９２ａが除埃用通風路４０ａに連通する。よって、筐体２０ａの通風路用開口部２６ａで開口する除埃用通風路４０ａの吸引口４２ａにハンディワイパー等の掃除道具の払拭部を当てることにより、掃除道具に吸着した埃を掃除機の吸引力を利用して除去することができる。
よって、実施例２の除埃器１０ａによれば、筐体２０ａの内部で掃除道具を振って埃を除去する除去方式と、除埃用通風路４０ａの吸引口４２ａに掃除道具を当てて埃を吸い取る除去方式を、パイプ部材９０ａの軸方向への移動操作というワンタッチの操作で切り換えることができる。
【実施例３】
【００５８】
［実施例３の構成］
図１０、図１１を用いて、本発明の実施例３の除埃器１０ｂについて説明する。除埃器１０ｂは、筐体２０ｂと筐体２０ｂの内部に設置された除埃用通風路４０ｂと筐体２０ｂの側面に挿通されたパイプ部材９０ｂとを備える。パイプ部材９０ｂが本発明の吸引用部材に相当し、パイプ部材９０ｂの中空部９２ｂが本発明の吸引用通風路に相当する。
除埃器１０ｂの筐体２０ｂの構成は、実施例２の筐体２０ａと同様であるので、対応する符号を付して、説明は省略する。
パイプ部材９０ｂは軸方向への移動により筐体２０ｂの内外への移動が可能な構成とされている。そして、パイプ部材９０ｂの中空部９２ｂの筐体２０ｂの外側の端部は開口した外端開口部９１ｂとされ、中空部９２ｂの筐体２０ｂの内側の端部は外径がパイプ部材９０ｂの外径よりも大きな円盤状の遮蔽部材９７ｂで遮蔽され、パイプ部材９０ｂの遮蔽部材９７ｂに隣接する部位には外周部９４ｂが中空部９２ｂに達するまで切り欠かれた側面開口部９５ｂが形成されている。そして、パイプ部材９０ｂの筐体２０ｂの外側の外周部９４ｂに円筒状の外部リング９６ｂを備えている。
そして、除埃用通風路４０ｂは筐体２０ｂの上面の蓋２２ｂに設けられた通風路用開口部２６ｂに開口する吸引口４２ｂと筐体２０ｂの内部に開口する内部開口部４４ｂを備えており、内部開口部４４ｂはパイプ部材９０ｂを挿通することができる筐体２０ｂの側面側の第１開口部４６ｂと筐体２０ｂの内側の第２開口部４８ｂからなっている。
【００５９】
そして、パイプ部材９０ｂを筐体２０ｂの内側方向に移動させると、パイプ部材９０ｂの外周部９４ｂが除埃用通風路４０ｂの第１開口部４６ｂ及び第２開口部４８ｂに挿通された状態となり、パイプ部材９０ｂの側面開口部９５ｂが筐体２０ｂの内部に開口する。そして、パイプ部材９０ｂの外部リング９６ｂが筐体２０ｂの外側の側面に当たった状態で、パイプ部材９０ｂの筐体２０ｂの内側方向への移動が止まる。
そして、パイプ部材９０ｂを筐体２０ｂの外側方向に移動させると、パイプ部材９０ｂの側面開口部９５ｂが除埃用通風路４０ｂの第１開口部４６ｂと第２開口部４８ｂの間に移動して、パイプ部材９０ｂの中空部９２ｂが除埃用通風路４０ｂに連通する。そして、パイプ部材９０ｂの遮蔽部材９７ｂが除埃用通風路４０ｂの側面に当たった状態で、パイプ部材９０ｂの筐体２０ｂの外側への移動が止まる。
【００６０】
［実施例３の効果］
実施例３の除埃器１０ｂによれば、パイプ部材９０ｂを筐体２０ｂの内側方向に移動させると、パイプ部材９０ｂの外周部９４ｂが除埃用通風路４０ｂの第１開口部４６ｂ及び第２開口部４８ｂに挿通された状態となり、パイプ部材９０ｂの側面開口部９５ｂが筐体２０ｂの内部に開口する。そして、パイプ部材９０ｂを筐体２０ｂの外側方向に移動させると、パイプ部材９０ｂの側面開口部９５ｂが除埃用通風路４０ｂの第１開口部４６ｂと第２開口部４８ｂの間に移動して、パイプ部材９０ｂの中空部９２ｂが除埃用通風路４０ｂに連通する。
よって、実施例３の除埃器１０ｂによれば、筐体２０ｂの内部で掃除道具を振って埃を除去する除去方式と、筐体２０ｂの通風路用開口部２６ｂで開口する除埃用通風路４０ｂの吸引口４２ｂに掃除道具を当てて埃を吸い取る除去方式を、パイプ部材９０ｂの軸方向への移動操作というワンタッチの操作で切り換えることができる。
【実施例４】
【００６１】
［実施例４の構成］
上述の実施例１〜実施例３では、吸引用部材である台あるいはパイプ部材を操作することにより埃を除去する方式を切り換える構成について説明したが、本発明では、除埃用通風路を操作して埃を除去する方式を切り換えることもできる。
図１２〜図１４を用いて、除埃用通風路を操作して埃を除去する方式を切り換えることができる除埃器１０ｃについて説明する。
図１２に、本発明の実施例４の除埃器１０ｃの側面を透視表示した透視図を示す。除埃器１０ｃはハンディワイパーや静電気クリーナー等の掃除道具に吸着した埃を除去する除埃器であって、掃除道具の払拭部を収容することのできる筐体２０ｃと、筐体２０ｃの内部に設置される除埃用通風路４０ｃと、筐体２０ｃの内部に設置され除埃用通風路４０ｃを収納する筒状の通風路保持器１００ｃとを備え、筐体２０ｃは掃除道具の払拭部を把持部の軸方向と交差する方向に振り動かすことができる大きさの内部空間を有している。
そして、筐体２０ｃの上面は開閉可能な蓋２２ｃで構成されており、蓋２２ｃには掃除道具の払拭部を筐体２０ｃの内部に挿入することのできる上面開口部２４ｃと、除埃用通風路４０ｃを筐体２０ｃの外部に開口させるための通風路用開口部２６ｃが設けられている。
筐体２０ｃの側面には掃除機に接続できるパイプ部材９０ｃが挿通されており、パイプ部材９０ｃが本発明の吸引用部材に相当し、パイプ部材９０ｃの中空部９２ｃが本発明の吸引用通風路に相当する。
【００６２】
図１３は、図１２の状態の除埃器１０ｃを、蓋２２ｃを非表示とし通風路保持器１００ｃと除埃用通風路４０ｃを透視表示して、別角度から見た透視図である。
パイプ部材９０ｃの中空部９２ｃは、筐体２０ｃの側面の外側の外端開口部９１ｃと筐体２０ｃの内側の内端開口部９３ｃで開口しており、パイプ部材９０ｃは、外部リング９６ｃと内部リング９８ｃで筐体２０ｃの側面に固定されている。
通風路保持器１００ｃは、パイプ部材９０ｃの内端開口部９３ｃに接続されるパイプ部材接続口１０２ｃと、筐体２０ｃの内部に開口する側面開口部１０４ｃと、除埃用通風路４０ｃを挿通することのできる上端開口部１０６ｃとを備えた断面が矩形の中空の部材であり、筐体２０ｃの底部に固定されている。そして、幅の広い方の二つの側面の上端開口部１０６ｃ直下が切り欠かれて半月状の突起保持部１０８ｃが形成されている。
除埃用通風路４０ｃは、底部５２ｃを有し、側面の内部開口部４４ｃと、上端の吸引口４２ｃで開口する断面が矩形の中空の部材であって弾力性を有し、通風路保持器１００ｃの内部に挿通された状態で、上下に移動させることができる構成とされている。そして、除埃用通風路４０ｃの幅の広い方の二つの側面の上方の外側に、断面が半円状で横方向に伸びた突起５４ｃが形成されている。
【００６３】
図１２及び図１３では、除埃用通風路４０ｃを上方に引き上げて除埃用通風路４０ｃの突起５４ｃが通風路保持器１００ｃの突起保持部１０８ｃに掛かった状態となり、除埃用通風路４０ｃはこの位置で留まることができる。この位置を上方位置と呼ぶ。
除埃用通風路４０ｃが上方位置に在るときは、除埃用通風路４０ｃの底部５２ｃが通風路保持器１００ｃのパイプ部材接続口１０２ｃ及び側面開口部１０４ｃの上方となり、パイプ部材９０ｃの中空部９２ｃが、通風路保持器１００ｃの除埃用通風路４０ｃよりも下方の空間を経て筐体２０ｃの内部に開口する。
そして、図１２の状態で、除埃用通風路４０ｃの吸引口４２ｃを下方に押して、除埃用通風路４０ｃの底部５２ｃが通風路保持器１００ｃの底部に当たるまで、除埃用通風路４０ｃを通風路保持器１００ｃの中で下方に移動させることができる。そして、除埃用通風路４０ｃの底部５２ｃが通風路保持器１００ｃの底部に当たった時には、吸引口４２ｃが筐体２０ｃの通風路用開口部２６ｃの高さまで押し下げられており、除埃用通風路４０ｃはこの位置で留まることができる。この位置を下方位置とよぶ。
【００６４】
図１４に、除埃用通風路４０ｃが下方位置にあるときの除埃器１０ｃの透視図を示す。除埃用通風路４０ｃが下方位置にあるときは、図１４に示すとおり、除埃用通風路４０ｃの内部開口部４４ｃが通風路保持器１００ｃのパイプ部材接続口１０２ｃと重なり、除埃用通風路４０ｃの側面が通風路保持器１００ｃの側面開口部１０４ｃを塞いで、パイプ部材９０ｃの中空部９２ｃの外端開口部９１ｃが除埃用通風路４０ｃを経て除埃用通風路４０ｃの吸引口４２に連通する。
そして、除埃用通風路４０ｃを下方位置から上方位置に移動させるときは、筐体２０ｃの通風路用開口部２６ｃの半円状の切り欠き及び通風路保持器１００ｃの突起保持部１０８ｃから露出するの除埃用通風路４０ｃの上端部の側面をつまんで引き上げることができる。そして、除埃用通風路４０ｃの突起５４ｃが通風路保持器１００ｃの突起保持部１０８ｃに掛かる位置まで引き上げられると、摩擦抵抗が急激に減少するので、引き上げを終了すればよい。
【００６５】
［実施例４の効果］
実施例４の除埃器１０ｃによれば、除埃用通風路４０ｃを上方位置に移動させると、除埃用通風路４０ｃの底部５２ｃが通風路保持器１００ｃのパイプ部材接続口１０２ｃ及び側面開口部１０４ｃの上方となり、パイプ部材９０ｃの中空部９２ｃが、通風路保持器１００ｃの除埃用通風路４０ｃよりも下方の空間を経て筐体２０ｃの内部に開口する。
そして、除埃用通風路４０ｃを下方位置に移動させると、除埃用通風路４０ｃの内部開口部４４ｃが通風路保持器１００ｃのパイプ部材接続口１０２ｃと重なり、除埃用通風路４０ｃの側面が通風路保持器１００ｃの側面開口部１０４ｃを塞いで、パイプ部材９０ｃの中空部９２ｃの外端開口部９１ｃが除埃用通風路４０ｃを経て除埃用通風路４０ｃの吸引口４２ｃに連通する。
よって、実施例４の除埃器１０ｃによれば、筐体２０ｃの内部で掃除道具を振って埃を除去する除去方式と、筐体２０ｃの通風路用開口部２６ｃで開口する除埃用通風路４０ｃの吸引口４２ｃに掃除道具を当てて埃を吸い取る除去方式を、除埃用通風路４０ｃの上下方向への移動操作というワンタッチの操作で切り換えることができる。
【００６６】
［実施例４の変形例］
実施例４の除埃器１０ｃでは、下方位置で除埃用通風路４０ｃの底部５２ｃが通風路保持器１００ｃの底部に当たる時に、除埃用通風路４０ｃの吸引口４２が筐体２０ｃの通風路用開口部２６ｃで開口する構成としたが、下方位置で除埃用通風路４０ｃの底部５２ｃが通風路保持器１００ｃの底部に当たる時に、除埃用通風路４０ｃの吸引口４２ｃが筐体２０ｃの通風路用開口部２６ｃよりも上方に突出する構成としてもよい。
また、除埃器１０ｃに、除埃用通風路４０ｃの突起５４ｃよりも上方に形成された別の突起が通風路保持器１００ｃの突起保持部１０８ｃに掛かって除埃用通風路４０ｃが留まることができる中間位置を設け、中間位置ではパイプ部材９０ｃの中空部９２ｃの外端開口部９１ｃが除埃用通風路４０ｃを経て筐体２０ｃの通風路用開口部２６ｃから上方に突出する除埃用通風路４０ｃの吸引口４２ｃに連通するようにしてもよい。この変形例では、吸引口４２ｃによる除埃を、吸引口４２ｃが筐体２０ｃの上面で開口する構成と、吸引口４２ｃが筐体２０ｃの上面から突出する構成から選択することが出来る。
【実施例５】
【００６７】
［実施例５の構成］
本発明では、通風路を切り換える為の専用の機器を使用して、埃を除去する方式を切り換えることもできる。
図１５〜図１７を用いて、通風路切換器を操作して埃を除去する方式を切り換えることができる除埃器１０ｄについて説明する。
図１５に本発明の実施例５の除埃器１０ｄの透視図を示す。除埃器１０ｄはハンディワイパーや静電気クリーナー等の掃除道具に吸着した埃を除去する除埃器であって、掃除道具の払拭部を収容することのできる筐体２０ｄと、筐体２０ｄの内部に設置される除埃用通風路４０ｄと、除埃用通風路４０ｄの内部に収納される通風路切換器１１０ｄとを備え、筐体２０ｄは掃除道具の払拭部を把持部の軸方向と交差する方向に振り動かすことができる大きさの内部空間を有している。
そして、筐体２０ｄの上面は開閉可能な蓋２２ｄで構成されており、蓋２２ｄには掃除道具の払拭部を筐体２０ｄの内部に挿入することのできる上面開口部２４ｄと、除埃用通風路４０ｄを筐体２０ｄの外部に開口させるための通風路用開口部２６ｄが設けられている。
筐体２０ｄの側面には掃除機に接続できるパイプ部材９０ｄが挿通されており、パイプ部材９０ｄが本発明の吸引用部材に相当し、パイプ部材９０ｄの中空部９２ｄが本発明の吸引用通風路に相当する。
【００６８】
図１６は、図１５の状態の除埃器１０ｄを、蓋２２ｄを非表示として、別角度から見た透視図である。
パイプ部材９０ｄの中空部９２ｄは、筐体２０ｄの側面の外側の外端開口部９１ｄと筐体２０ｄの内側の内端開口部９３ｄで開口しており、パイプ部材９０ｄは、外部リング９６ｄと内部リング９８ｄで筐体２０ｄの側面に固定されている。
除埃用通風路４０ｄは底部５２ｄが筐体２０ｄの底面に固定された断面が矩形の中空の部材であって、筐体の内部で開口する内部開口部４４ｄと筐体２０ｄの通風路用開口部２６ｄで開口する吸引口４２ｄを備えている。そして、内部開口部４４ｄは、パイプ部材９０ｄの内端開口部９３ｄに接続された第１開口部４６ｄと、第１開口部４６ｄと反対側の側面で筐体２０ｄの内部に開口する第２開口部４８ｄからなる。そして、除埃用通風路４０ｄの第２開口部４８ｄが形成された側面の上端が切り欠かれて半月状の突起保持部５８ｄが形成されている。
【００６９】
通風路切換器１１０ｄは略板状の部材であって、下部に除埃用通風路４０ｄの中空の部分を塞ぐことができる直方体状の遮断部材１１２ｄを備え、板状の部分が除埃用通風路４０ｄの第２開口部４８ｄが形成された側面に面した状態で、除埃用通風路４０ｄの中を上下に移動させることができる。そして、板状の部分の除埃用通風路４０ｄの側の側面の上部に断面が半円状で横方向に伸びた突起１１７ｄが形成されており、板状の部分の除埃用通風路４０ｄ側の側面の先端に直方体状に保持部１１８ｄが形成されている。
【００７０】
図１５及び図１６は、通風路切換器１１０ｄを上方に引き上げて通風路切換器１１０ｄの突起１１７ｄが除埃用通風路４０ｄの突起保持部５８ｄに掛かった状態を示しており、通風路切換器１１０ｄはこの位置で留まることができる。この位置を上方位置と呼ぶ。
通風路切換器１１０ｄが上方位置に在るときは、図１６に示すとおり、通風路切換器１１０ｄの遮断部材１１２ｄが除埃用通風路４０ｄの第１開口部４６ｄ及び第２開口部４８ｄの上方となり、パイプ部材９０ｄの中空部９２ｄが、除埃用通風路４０ｄの第１開口部４６ｄ及び第２開口部４８ｄを経て筐体２０ｄの内部に開口する。
そして、図１５の状態で、通風路切換器１１０ｄの板状の部分の先端を下方に押して、通風路切換器１１０ｄの遮断部材１１２ｄの底部が除埃用通風路４０ｄの底部５２ｄに当たるまで、通風路切換器１１０ｄを除埃用通風路４０ｄの中で下方に移動させることができる。そして、通風路切換器１１０ｄの遮断部材１１２ｄの底部が除埃用通風路４０ｄの底部５２ｄに当たった時には、通風路切換器１１０ｄの板状の部分の先端が筐体２０ｄの通風路用開口部２６ｄの高さまで押し下げられており、通風路切換器１１０ｄはこの位置で留まることができる。この位置を下方位置と呼ぶ。
【００７１】
図１７に、通風路切換器１１０ｄが下方位置にあるときの除埃器１０ｄの透視図を示す。通風路切換器１１０ｄが下方位置にあるときは、通風路切換器１１０ｄの遮断部材１１２ｄが除埃用通風路４０ｄの第１開口部４６ｄよりも下方となってパイプ部材９０ｄの内端開口部９３ｄが除埃用通風路４０ｄの内部に開口し、通風路切換器１１０ｄの板状の部分が除埃用通風路４０ｄの第２開口部４８ｄを塞いで、パイプ部材９０ｄの中空部９２ｄの外端開口部９１ｄが除埃用通風路４０ｄの吸引口４２ｄに連通する。
なお、通風路切換器１１０ｄが下方位置に有るときは、通風路切換器１１０ｄの保持部１１８ｄは除埃用通風路４０ｄの突起保持部５８ｄから側方に突出し、保持部１１８ｄは除埃用通風路４０ｄとは干渉しない。
そして、通風路切換器１１０ｄを下方位置から上方位置へ移動させるときは、筐体２０ｄの通風路用開口部２６ｄの半円状の切り欠き及び除埃用通風路４０ｄの突起保持部５８ｄから露出する通風路切換器１１０ｄの保持部１１８ｄをつまんで引き上げることができる。そして、通風路切換器１１０ｄの突起１１７ｄが除埃用通風路４０ｄの突起保持部５８ｄに掛かる位置まで引き上げられると、摩擦抵抗が急激に減少するので、引き上げを終了すればよい。
【００７２】
［実施例５の効果］
実施例５の除埃器１０ｄによれば、通風路切換器１１０ｄを上方位置に移動させると、通風路切換器１１０ｄの遮断部材１１２ｄが除埃用通風路４０ｄの第１開口部４６ｄ及び第２開口部４８ｄの上方となり、パイプ部材９０ｄの中空部９２ｄが、除埃用通風路４０ｄの第１開口部４６ｄ及び第２開口部４８ｄを経て筐体２０ｄの内部に開口する。
そして、通風路切換器１１０ｄを下方位置に移動させると、通風路切換器１１０ｄの遮断部材１１２ｄが除埃用通風路４０ｄの第１開口部４６ｄよりも下方となってパイプ部材９０ｄの内端開口部９３ｄが除埃用通風路４０ｄの内部に開口する。そして、通風路切換器１１０ｄの板状の部分が除埃用通風路４０ｄの第２開口部４８ｄを塞いで、パイプ部材９０ｄの中空部９２ｄの外端開口部９１ｄが除埃用通風路４０ｄの吸引口４２ｄに連通する。
よって、実施例５の除埃器１０ｄによれば、筐体２０ｄの内部で掃除道具を振って埃を除去する除去方式と、筐体２０ｄの通風路用開口部２６ｄで開口する除埃用通風路４０ｄの吸引口４２ｄに掃除道具を当てて埃を吸い取る除去方式を、通風路切換器１１０ｄの上下方向への移動操作というワンタッチの操作で切り換えることができる。
【実施例６】
【００７３】
［実施例６の構成］
実施例５では、除埃用通風路に収納する構成の通風路切換器を備えた除埃器１０ｄについて説明したが、通風路切換器の構成は除埃用通風路に収納する構成に限られない。
図１８、図１９を用いて、除埃器１０ｄとは異なる構成の通風路切換器を備えた除埃器１０ｅについて説明する。
除埃器１０ｅはハンディワイパーや静電気クリーナー等の掃除道具に吸着した埃を除去する除埃器であって、掃除道具の払拭部を収納することのできる筐体２０ｅと、筐体２０ｅの内部に設置される除埃用通風路４０ｅと、筐体２０ｅの側面に挿通されたパイプ部材９０ｅと、筐体２０ｅの側面に挿通され、筐体２０ｅの側面に対して内側方向及び外側方向に移動させることが可能な通風路切換器１１０ｅとを備えている。
図１８は通風路切換器１１０ｅを筐体２０ｅの内側方向に移動させた状態の除埃器１０ｅの透視図であり、図１９は通風路切換器１１０ｅを筐体２０ｅの外側方向に移動させた状態の除埃器１０ｅの透視図である。
【００７４】
筐体２０ｅは掃除道具の払拭部を把持部の軸方向と交差する方向に振り動かすことができる大きさの内部空間を有し、筐体２０ｅの上面は開閉可能な蓋２２ｅで構成されており、蓋２２ｅには掃除道具の払拭部を筐体２０ｅの内部に挿入することのできる上面開口部２４ｅと、除埃用通風路４０ｅを筐体２０ｅの外部に開口させるための通風路用開口部２６ｅが設けられている。
パイプ部材９０ｅは中空部９２ｅを備えており、パイプ部材９０ｅが本発明の吸引用部材に相当し、パイプ部材９０ｅの中空部９２ｅが本発明の吸引用通風路に相当する。パイプ部材９０ｅの中空部９２ｅは、筐体２０ｅの側面の外側の外端開口部９１ｅと筐体２０ｅの内側の内端開口部９３ｅで開口しており、パイプ部材９０ｅは、外部リング９６ｅと内部リング９８ｅで筐体２０ｅの側面に固定されている。
【００７５】
筐体２０ｅの内部には、除埃用通風路４０ｅに密着させて補助通風路１２０ｅが配置されている。補助通風路１２０ｅは、底部が筐体２０ｅの底面に固定された断面が矩形の中空の部材であって、上端開口部１２２ｅと除埃用通風路４０ｅに面する側面開口部１２４ｅとを備えている。
除埃用通風路４０ｅは底部が筐体２０ｅの底面に固定された断面が矩形の中空の部材であって、筐体２０ｅの内部で開口する内部開口部４４ｅと筐体２０ｅの通風路用開口部２６ｅで開口する吸引口４２ｅを備えている。そして、内部開口部４４ｅは、パイプ部材９０ｅの内端開口部９３ｅに接続された第１開口部４６ｅと、第１開口部４６ｅと反対側の側面で補助通風路１２０ｅの側面開口部１２４ｅに接合する第２開口部４８ｅからなっている。
なお、補助通風路１２０ｅを除埃用通風路４０ｅと離して配置し、補助通風路１２０ｅの側面開口部１２４ｅと除埃用通風路４０ｅの第２開口部４８ｅをパイプで接続してもよい。
【００７６】
通風路切換器１１０ｅは矩形の通風孔１１４ｅを備えた板状の部材であって、パイプ部材９０ｅが挿通された位置よりも上方の筐体２０ｅの側面に挿通され、除埃用通風路４０ｅの側面に形成されたスリットを通過して、補助通風路１２０ｅの上端開口部１２２ｅに接する状態で配置されている。
そして、通風路切換器１１０ｅの筐体２０ｅの外側の端部には、通風路切換器１１０ｅをつまみ易くするために板の厚みを厚くした保持部１１８ｅが形成されており、保持部１１８ｅは筐体２０ｅの側面に挿通できない厚さを有している。そして、通風路切換器１１０ｅの筐体２０ｅの内側の端部には下方に伸びる係止部１１９ｅが形成されている。
【００７７】
そして、通風路切換器１１０ｅの保持部１１８ｅをつまんで保持部１１８ｅが筐体２０ｅの側面に当たるまで筐体２０ｅの内側方向に移動させると、通風路切換器１１０ｅの通風孔１１４ｅが補助通風路１２０ｅの上端開口部１２２ｅに重なる位置に移動して上端開口部１２２ｅが筐体２０ｅの内部に開口する。そして、通風路切換器１１０ｅの板状の部分が除埃用通風路４０ｅを上部と下部に遮断し、パイプ部材９０ｅの中空部９２ｅが除埃用通風路４０ｅの下部及び補助通風路１２０ｅを経て筐体２０ｅの内部に開口する。
そして、通風路切換器１１０ｅの保持部１１８ｅをつまんで通風路切換器１１０ｅの係止部１１９ｅが補助通風路１２０ｅの側面に当たるまで筐体２０ｅの外側方向に移動させると、通風路切換器１１０ｅの通風孔１１４ｅが除埃用通風路４０ｅの内側の中空の部分に移動して除埃用通風路４０ｅの下部と上部が連通し、通風路切換器１１０ｅの板状の部分が補助通風路１２０ｅの上端開口部１２２ｅを遮蔽して、パイプ部材９０ｅの中空部９２ｅの外端開口部９１ｅが除埃用通風路４０ｅの吸引口４２ｅに連通する。
【００７８】
［実施例６の効果］
実施例６の除埃器１０ｅによれば、通風路切換器１１０ｅを、保持部１１８ｅが筐体２０ｅの側面に当たるまで筐体２０ｅの内側方向に移動させると、補助通風路１２０ｅの上端開口部１２２ｅが筐体２０ｅの内部に開口し、除埃用通風路４０ｅが上部と下部に遮断されて、パイプ部材９０ｅの中空部９２ｅが除埃用通風路４０ｅの下部及び補助通風路１２０ｅを経て筐体２０ｅの内部に開口する。
そして、通風路切換器１１０ｅを、係止部１１９ｅが補助通風路１２０ｅの側面に当たるまで筐体２０ｅの外側方向に移動させると、除埃用通風路４０ｅの下部と上部が連通し、補助通風路１２０ｅの上端開口部１２２ｅが遮蔽されて、パイプ部材９０ｅの中空部９２ｅの外端開口部９１ｅが除埃用通風路４０ｅの吸引口４２ｅに連通する。
よって、実施例６の除埃器１０ｅによれば、筐体２０ｅの内部で掃除道具を振って埃を除去する除去方式と、筐体２０ｅの通風路用開口部２６ｅで開口する除埃用通風路４０ｅの吸引口４２ｅに掃除道具を当てて埃を吸い取る除去方式を、通風路切換器１１０ｅの筐体２０ｅの側面に対する内外方向への移動操作というワンタッチの操作で切り換えることができる。
【００７９】
［他の変形例］
実施例２〜実施例６の除埃器では、筐体の内部に棒状の補助具を備える構成としても良い。掃除道具の払拭部を補助具に繰り返し打ち当てることで、払拭部に吸着した埃の離脱を促進させることができる。また、補助具を振動または回転する構成とすれば、払拭部を補助具に当てておくだけで、掃除道具の払拭部からの埃の離脱を促進させることができる。なお、実施例１の除埃器で、筐体の内部に棒状の補助具を備える構成とする場合は、補助具を使用するときは筐体の中央部に起こして使用し、補助具を使用しないときは筐体の側面沿いに収納できるようにして、掃除機の収納に支障がない構成とする。
上述の各実施例では通風路用開口部を筐体の上面に設けたが、通風路用開口部を筐体の側面に設けて、除埃用通風路の吸引口を筐体の側面で開口させることもできる。また、除埃用通風路が固定式のものであれば、除埃用通風路を分岐させて複数の吸引口を設けることもできる。
上述の各実施例では除埃用通風路は断面が矩形の中空の部材を用いているが、除埃用通風路を円筒状の部材とすることもできる。
その他、本発明に係る除埃器はその発明の思想の範囲で、各種の形態で実施できるものである。
【符号の説明】
【００８０】
１０、１０ａ、１０ｂ、１０ｃ、１０ｄ、１０ｅ 除埃器
２０、２０ａ、２０ｂ、２０ｃ、２０ｄ、２０ｅ 筐体
２２、２２ａ、２２ｂ、２２ｃ、２２ｄ、２２ｅ 蓋
２４、２４ａ、２４ｂ、２４ｃ、２４ｄ、２４ｅ 上面開口部
２６、２６ａ、２６ｂ、２６ｃ、２６ｄ、２６ｅ 通風路用開口部
２８ 側面開口部
３０ 外扉
３１ 金属板
３２ 上端開口部
３４ 台移動用開口部
３６ レール
３８ ストッパ
３９ ホルダ
４０、４０ａ、４０ｂ、４０ｃ、４０ｄ、４０ｅ 除埃用通風路
４２、４２ａ、４２ｂ、４２ｃ、４２ｄ、４２ｅ 吸引口
４４、４４ａ、４４ｂ、４４ｃ、４４ｄ、４４ｅ 内部開口部
４６ａ、４６ｂ、４６ｄ、４６ｅ 第１開口部
４８ａ、４８ｂ、４８ｄ、４８ｅ 第２開口部
５０ａ 遮蔽板
５２ｃ、５２ｄ 底部
５４ｃ 突起
５８ｄ 突起保持部
６０ 掃除機
６２ 吸引具
６４ 開口部
６６ 把持部
７０ 台
７２ 台通風路
７４ 台開口部
７６ 掃除機用吸引口
７７ 凹部
７８ 内壁
７９ 支持棒
８０ ハンドル
８２ ローラー
８４ 金属板
９０ａ、９０ｂ、９０ｃ、９０ｄ、９０ｅ パイプ部材
９１ａ、９１ｂ、９１ｃ、９１ｄ、９１ｅ 外端開口部
９２ａ、９２ｂ、９２ｃ、９２ｄ、９２ｅ 中空部
９３ａ、９３ｃ、９３ｄ、９３ｅ 内端開口部
９４ａ、９４ｂ、９４ｃ、９４ｄ、９４ｅ 外周部
９５ｂ 側面開口部
９６ａ、９６ｂ、９６ｃ、９６ｄ、９６ｅ 外部リング
９７ｂ 遮蔽部材
９８ａ、９８ｃ、９８ｄ、９８ｅ 内部リング
１００ｃ 通風路保持器
１０２ｃ パイプ部材接続口
１０４ｃ 側面開口部
１０６ｃ 上端開口部
１０８ｃ 突起保持部
１１０ｄ、１１０ｅ 通風路切換器
１１２ｄ 遮断部材
１１４ｅ 通風孔
１１７ｄ 突起
１１８ｄ、１１８ｅ 保持部
１１９ｅ 係止部
１２０ｅ 補助通風路
１２２ｅ 上端開口部
１２４ｅ 側面開口部
【図１】
2018175085.tif 000003
【図２】
2018175085.tif 000004
【図３】
2018175085.tif 000005
【図４】
2018175085.tif 000006
【図５】
2018175085.tif 000007
【図６】
2018175085.tif 000008
【図７】
2018175085.tif 000009
【図８】
2018175085.tif 000010
【図９】
2018175085.tif 000011
【図１０】
2018175085.tif 000012
【図１１】
2018175085.tif 000013
【図１２】
2018175085.tif 000014
【図１３】
2018175085.tif 000015
【図１４】
2018175085.tif 000016
【図１５】
2018175085.tif 000017
【図１６】
2018175085.tif 000018
【図１７】
2018175085.tif 000019
【図１８】
2018175085.tif 000020
【図１９】
2018175085.tif 000021